(57)【特許請求の範囲】
【請求項１】
ジョブを受け付けるジョブ受付部と、
ジョブに関するジョブ履歴情報を記憶可能な第１記憶部と、
ジョブ履歴情報を前記第１記憶部に記憶させる時間帯を設定する時間帯設定部と、
前記ジョブ受付部によって受け付けられたジョブを実行するジョブ実行部と、
前記ジョブ実行部によってジョブが実行された場合に、前記時間帯設定部によって設定された時間帯においてそのジョブが開始されたか否かを判定する第１時間判定部と、
前記第１時間判定部によって前記時間帯においてジョブが開始されたと判定された場合に、そのジョブに関するジョブ履歴情報を生成して前記第１記憶部に記憶させる記憶制御部と、
時刻を計時する計時部と、
前記計時部によって計時される時刻が、前記時間帯設定部によって設定された前記時間帯内の時刻であるか否かを判定する第２時間判定部と、
前記第２時間判定部によって前記計時部により計時される時刻が前記時間帯内の時刻であると判定された場合に、前記第１記憶部に記憶されるジョブ履歴情報を削除できない第１モードになるように前記記憶制御部を設定する設定部と、
ユーザー識別情報が入力される識別情報入力部と、
前記識別情報入力部によって入力されたユーザー識別情報を記憶可能な第３記憶部と、
ログイン処理に利用される識別情報が予め記憶される第４記憶部と、
前記識別情報入力部によって入力されたユーザー識別情報と、前記第４記憶部に記憶された識別情報とに基づいて、画像形成装置へのログイン処理を行うログイン処理部と、を備え、
前記設定部は、前記第２時間判定部によって前記計時部により計時される時刻が前記時間帯内の時刻ではないと判定された場合に、前記第１記憶部に記憶されるジョブ履歴情報を削除可能な第２モードになるよう前記記憶制御部を設定し、
前記記憶制御部は、前記設定部によって前記第２モードに設定された場合に、前記ログイン処理部によって画像形成装置にログインされた後、前記第１記憶部に記憶されるジョブ履歴情報が削除されると、前記識別情報入力部によって入力されたユーザー識別情報を前記第３記憶部に記憶させる
画像形成装置。
【発明の詳細な説明】
【技術分野】
【０００１】
本発明は、ジョブを実行する画像形成装置に関する。
【背景技術】
【０００２】
画像形成装置には、例えば、コピー機能、プリンター機能、ファクシミリ機能、メール機能及びスキャン機能等を備える複合機がある。このような複合機は、ジョブを実行した場合にそのジョブの履歴を記憶部に記憶し、さらに、ユーザーが要求した場合に履歴を表示部に表示するようになっている。
【０００３】
ところで、複合機には、その複合機が有する機能を利用するのに先立って、まずユーザーにログインを行わせるものがある。このような複合機では、他のユーザーに履歴を公開したくない場合には、履歴中の非公開とする項目を設定することができるものがある（特許文献１参照）。
また、複合機には、ジョブを実行したことに基づいて個人情報が含まれる履歴を作成する場合に、個人情報の部分を特定の識別子に置き換えるものがある（特許文献２参照）。
【先行技術文献】
【特許文献】
【０００４】
【特許文献１】特開２００５−３２４４５０号公報
【特許文献２】特開２００９−１９９１４４号公報
【発明の概要】
【発明が解決しようとする課題】
【０００５】
上述したように、複合機は、ジョブを実行した場合に、そのジョブに関する履歴を記憶する。ところで、ファクシミリ機能及びメール機能等が利用されることにより作成された履歴には、ファクシミリ番号及びメールアドレス等の取引先の情報等が含まれる。このため、複合機を所有するユーザーには、取引先の情報等が含まれる履歴を記憶部から削除したいと考える場合がある。
【０００６】
しかしながら、記憶部から履歴を削除する場合、ファクシミリ機能及びメール機能を利用して企業内の情報の流出を図る企業スパイが存在していると、ユーザーは、スパイ行為を追跡することができない。そこで、社員のほとんどが帰宅した後の企業の勤務時間外にスパイ行為が行われると仮定すると、その勤務時間外では、履歴は、記憶部に残しておいた方が良いと考えられる。
【０００７】
また、特許文献１に記載された発明では、ログイン認証に利用されるユーザー識別情報が流出した場合には、他人に成りすましてログインが行われる場合がある。この場合には、記憶部に記憶される履歴が漏洩する可能性がある。
さらに、特許文献２に記載された発明は、個人情報と特定の識別子とを対応付けた個人情報管理表を生成して記憶部に記憶している。その個人情報管理表のうち、個人情報の部分は、暗号鍵で暗号化されている。このような特許文献２に記載された発明では、暗号鍵が流出してしまうと、企業の秘密情報（履歴）が漏洩する可能性がある。
このため、履歴は、極力、記憶部から削除した方が良い。
【０００８】
本発明は、ジョブが所定の時間帯で開始される場合、ジョブの履歴を記憶部に記憶する画像形成装置を提供することを目的とする。
【課題を解決するための手段】
【０００９】
本発明は、ジョブを受け付けるジョブ受付部と、ジョブに関するジョブ履歴情報を記憶可能な第１記憶部と、ジョブ履歴情報を前記第１記憶部に記憶させる時間帯を設定する時間帯設定部と、前記ジョブ受付部によって受け付けられたジョブを実行するジョブ実行部と、前記ジョブ実行部によってジョブが実行された場合に、前記時間帯設定部によって設定された時間帯においてそのジョブが開始されたか否かを判定する第１時間判定部と、前記第１時間判定部によって前記時間帯においてジョブが開始されたと判定された場合に、そのジョブに関するジョブ履歴情報を生成して前記第１記憶部に記憶させる記憶制御部と、を備える画像形成装置に関する。
【発明の効果】
【００１０】
本発明によれば、ジョブが所定の時間帯で開始される場合、ジョブの履歴を記憶部に記憶する画像形成装置を提供することができる。
【図面の簡単な説明】
【００１１】
【図１】画像形成装置の一実施形態に係る複合機の全体構成を説明するための図である。
【図２】複合機の機能構成を示すブロック図である。
【図３】操作部について説明するための図である。
【図４】ジョブを受け付けた場合の複合機の動作について説明するためのフローチャートである。
【発明を実施するための形態】
【００１２】
以下、図面を参照して、本発明の画像形成装置の一実施形態に係る複合機について説明する。まず、複合機１の全体構成について説明する。図１は、画像形成装置の一実施形態に係る複合機１の全体構成を説明するための図である。
【００１３】
図１に示すように、本実施形態の複合機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
原稿排出部１５における複合機本体２の外側には、原稿集積部１６が形成される。原稿集積部１６には、原稿排出部１５から排出された原稿Ｇが積層して集積される。
【００１４】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１５】
また、原稿読取部２０は、照明部２３と、第１ミラー２４と、第２ミラー２５と、第３ミラー２６と、結像レンズ２７と、撮像部２８とを複合機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１６】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１７】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
用紙排出部３４における複合機本体２の外側には、排紙集積部３５が形成される。排紙集積部３５には、用紙排出部３４から排出された用紙Ｔが積層して集積される。
【００１８】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００１９】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２０】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２１】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２２】
次に、複合機１の機能構成について説明する。図２は、複合機１の機能構成を示すブロック図である。図３は、操作部７０について説明するための図である。
【００２３】
図２に示すように、複合機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、複合機１は、上述した機能構成に加えて、操作部７０と、記憶部８０と、送信部１００と、計時部１１０と、識別情報入力部としてのカードリーダー１２０と、制御部９０とを備える。ここで、原稿搬送部１０、原稿読取部２０、エンジン部３、送信部１００等は、後述するジョブ受付部９１によって受け付けられたジョブを実行するものであり、ジョブ実行部１３０を構成する。
【００２４】
図３に示すように、操作部７０は、テンキー７１、タッチパネル７２及びスタートキー７３等を備える。テンキー７１は、印刷部数等の数字を入力するために操作される。
タッチパネル７２は、種々の機能（一例として、印刷倍率の設定機能や、複数のページを１枚の用紙Ｔに割り付ける機能（２ｉｎ１等））が割り当てられた複数のキー（ボタン画像）等を表示する。タッチパネル７２に表示されたキーは、種々の機能のうちのいずれかを複合機１に実行させるために操作される。より具体的には、タッチパネル７２は、表示部（図示せず）と、その表示部に対する操作を検出する検出部（図示せず）とを備える。検出部は、タッチセンサーである。
スタートキー７３は、印刷を実行させるために操作される。操作部７０は、いずれかのキーが操作されることにより、このキーが操作されたことを表す信号を制御部９０に供給する。
【００２５】
ここで、テンキー７１及びタッチパネル７２は、後述する送信部１００によってデータのファクシミリ送信又はメール送信を行う場合に、データの送信先を入力する入力部７４を構成する。その送信先は、ファクシミリ番号又はメールアドレスである。
【００２６】
図２に示すように、記憶部８０は、ハードディスクや半導体メモリー等から構成される。記憶部８０は、原稿読取部２０によって読み取られた原稿Ｇに基づく画像データを記憶する。また、記憶部８０は、複合機１において利用される制御プログラム、及びこの制御プログラムによって利用されるデータ等を記憶する。
【００２７】
また、記憶部８０は、第１記憶部８１と、第２記憶部８２と、第３記憶部８３と、第４記憶部８４とを備える。
第１記憶部８１は、ジョブに関するジョブ履歴情報を記憶可能である。ジョブ履歴情報は、ジョブ実行部１３０としての原稿搬送部１０、原稿読取部２０、エンジン部３、送信部１００等によってジョブが実行され、且つ、後述する所定の条件を満たす場合に、例えば、後述する記憶制御部９４によって生成される。
【００２８】
第２記憶部８２は、送信部１００によって送信されるデータの送信先のリスト情報が記憶される。送信先は、ファクシミリ番号又はメールアドレス等の宛先である。また、リスト情報は、ファクシミリ番号又はメールアドレスが記録されたアドレス帳のことである。
第３記憶部８３は、後述するカードリーダー１２０によって入力されたユーザー識別情報を記憶可能である。ユーザー識別情報は、後述するカードリーダー１２０によって読み取られたユーザー識別情報である。ユーザー識別情報は、一例として、後述するログイン処理部９９によってログイン処理が行われる場合に、使用される。
第４記憶部８４は、ログイン処理に利用される識別情報が予め記憶される。識別情報は、後述するログイン処理部９９によってログイン処理が行われる場合の認証に利用される。
【００２９】
送信部１００は、データを送信可能である。送信部１００は、電話回線及びローカルエリアネットワーク等の通信ネットワーク（図示せず）とのインターフェイスになる。なお、複合機１は、データを受信可能な受信部（図示せず）を備える。
計時部１１０は、時刻を計時する。計時部１１０は、例えば、時刻を計時するリアルタイムクロック等から構成される。
【００３０】
カードリーダー１２０（識別情報入力部）は、ユーザー識別情報が入力される。カードリーダー１２０は、ユーザー識別情報が記憶されたＩＣ（Ｉｎｔｅｇｒａｔｅｄ  Ｃｉｒｃｕｉｔ）カード（図示せず）が近づけられた場合に、そのＩＣカードに記憶されたユーザー識別情報を読み出す。
【００３１】
制御部９０は、原稿搬送部１０、原稿読取部２０、エンジン部３、操作部７０等を制御する。
また、制御部９０は、ジョブ受付部９１と、時間帯設定部９２と、第１時間判定部９３と、記憶制御部９４と、データ受付部９５と、送信先判定部９６と、第２時間判定部９７と、設定部９８と、ログイン処理部９９と、を備える。
【００３２】
ジョブ受付部９１は、ジョブを受け付ける。ジョブは、複合機１に与えられる仕事の単位である。一例として、ジョブは、タッチパネル７２に表示された、コピー機能が割り当てられたキー（図示せず）がユーザーによって選択され、さらに、ユーザーによってスタートキー７３が操作された場合に、発生する。ジョブ受付部９１は、ジョブが発生すると、そのジョブを受け付ける。
【００３３】
時間帯設定部９２は、ジョブに関するジョブ履歴情報を第１記憶部８１に記憶させる時間帯を設定する。すなわち、時間帯設定部９２は、後述する記憶制御部９４によってジョブ履歴情報を生成して第１記憶部８１に記憶させる時間帯を設定する。時間帯は、ユーザーによって操作部７０が操作されることに基づいて、適宜設定される。一例として、時間帯は、複合機１がオフィスに設置されている場合には、勤務時間外の時間帯である。
【００３４】
第１時間判定部９３は、ジョブ実行部１３０によってジョブが実行された場合に、時間帯設定部９２によって設定された時間帯においてそのジョブが開始されたか否かを判定する。具体的な一例としては、エンジン部３等が利用されることによりコピーが実行された場合、又は送信部１００が利用されることによりデータが複合機１の外部に送信された場合に、第１時間判定部９３は、そのコピーの実行又はデータの送信が上述した時間帯において開始されたか否かを判定する。
【００３５】
ここで、第１時間判定部９３は、例えば、コピー機能を選択させるためのキー、又はデータを送信する機能（ファクシミリ機能又はメール機能）を選択させるためのキーが選択された時刻が上述した時間帯内の時刻である場合に、その時間帯においてジョブが開始されたと判定してもよい。また、第１時間判定部９３は、コピー機能を実行させるため又はデータを送信する機能を実行させるために、スタートキー７３が操作された場合、そのスタートキー７３が操作された時刻が上述した時間帯内の時刻であると、その時間帯においてジョブが開始されたと判定してもよい。
【００３６】
記憶制御部９４は、第１時間判定部９３によって上記時間帯においてジョブが開始されたと判定された場合（所定の条件を満たす場合）に、そのジョブに関するジョブ履歴情報を生成して第１記憶部８１に記憶させる。第１記憶部８１に記憶されたジョブ履歴情報は、例えば、ジョブを実行した時刻と、ジョブを実行させたユーザー識別情報と、実行したジョブの内容と、ジョブがデータを送信するものであれば、データの送信先とを含む。
【００３７】
また、記憶制御部９４は、後述する送信先判定部９６によって入力部７４により入力された送信先とリスト情報に含まれる送信先とが一致しないと判定された場合に、送信部１００によってデータが送信されると、データの送信に関するジョブ履歴情報を第１記憶部８１に記憶させる。なお、詳細については後述する。
さらに、記憶制御部９４は、後述する設定部９８によって後述する第２モードに設定された場合に、ログイン処理部９９によって複合機１にログインされた後、第１記憶部８１に記憶されるジョブ履歴情報が削除されると、カードリーダー１２０によって入力されたユーザー識別情報を第３記憶部８３に記憶させる。なお、詳細については後述する。
【００３８】
データ受付部９５は、ジョブに関連するデータを受け付ける。例えば、送信部１００を利用してデータを外部に送信させるジョブの場合には、データ受付部９５は、外部に送信されるデータを受け付ける。より具体的な一例としては、ジョブ受付部９１によって受け付けられたジョブがファクシミリ送信のジョブであった場合には、原稿読取部２０によって読み取られた原稿の画像に対応する画像データを受け付ける。
【００３９】
送信先判定部９６は、ジョブ受付部９１によってデータを送信するジョブが受け付けられた場合に、入力部７４によって入力された送信先が第２記憶部８２に記憶されるリスト情報に含まれる送信先と一致するか否かを判定する。すなわち、送信先判定部９６は、入力部７４によって入力された送信先が所定の送信先であるか否かを判定する。具体的な一例としては、ジョブ受付部９１によって受け付けられたジョブがファクシミリ送信のジョブであった場合には、送信先判定部９６は、入力部７４によって入力されたファクシミリの送信先と、リスト情報（アドレス帳）に記録される送信先とを比較して、リスト情報の送信先の中に入力部７４によって入力された送信先が有るか否かを判定する。
【００４０】
ここで、第２記憶部８２に記憶されるリスト情報をタッチパネル７２に表示させ、表示されたリスト情報（送信先）の中からいずれかの送信先が選択され、その選択された送信先がファクシミリ送信（メール送信）の送信先として設定された場合には、送信先判定部９６は、上述した判定を行わない。
【００４１】
上述したように、記憶制御部９４は、送信先判定部９６によって入力部７４により入力された送信先とリスト情報に含まれる送信先とが一致しないと判定された場合に、送信部１００によってデータが送信されると、データの送信に関するジョブ履歴情報を第１記憶部８１に記憶させる。すなわち、記憶制御部９４は、入力部７４により入力された送信先が所定の送信先ではないと送信先判定部９６によって判定された場合に、第１時間判定部９３の判定結果にかかわらず、データの送信に関するジョブ履歴情報を第１記憶部８１に記憶させる。
【００４２】
第２時間判定部９７は、計時部１１０によって計時される現在時刻が、時間帯設定部９２によって設定された時間帯内の時刻であるか否かを判定する。第２時間判定部９７は、予め設定されたタイミングで上記の判定を行う。これにより、第２判定部は、常に判定を行う場合に比べて、処理負担を軽減することができる。
【００４３】
設定部９８は、第２時間判定部９７によって計時部１１０により計時される時刻が時間帯内の時刻であると判定された場合に、第１記憶部８１に記憶されるジョブ履歴情報を削除できない第１モードになるように記憶制御部９４を設定する。すなわち、記憶制御部９４は、設定部９８によって第１モードに設定された場合、第１記憶部８１に記憶されるジョブ履歴情報を削除することができない。
【００４４】
一方、設定部９８は、第２時間判定部９７によって計時部１１０により計時される時刻が上記時間帯内の時刻ではないと判定された場合に、第１記憶部８１に記憶されるジョブ履歴情報を削除可能な第２モードになるよう記憶制御部９４を設定する。すなわち、記憶制御部９４は、設定部９８によって第２モードに設定された場合に、第２記憶部８２に記憶されるジョブ履歴情報を削除することが可能である。
【００４５】
ログイン処理部９９は、カードリーダー１２０によって入力されたユーザー識別情報と、第４記憶部８４に記憶された識別情報とに基づいて、複合機１へのログイン処理を行う。すなわち、ログイン処理部９９は、カードリーダー１２０によってユーザー識別情報が読み取られた場合、第４記憶部８４に記憶された識別情報の中にユーザー識別情報と一致する識別情報が有るか否かを判断する。ログイン処理部９９は、ユーザー識別情報に一致する識別情報があれば、複合機１へのログイン処理を実行する。一方、ログイン処理部９９は、ユーザー識別情報に一致する識別情報がなければ、複合機１へのログイン処理を行わない。
【００４６】
上述したように、記憶制御部９４は、設定部９８によって第２モードに設定された場合に、ログイン処理部９９によって複合機１にログインされた後、第１記憶部８１に記憶されるジョブ履歴情報が削除されると、カードリーダー１２０によって入力されたユーザー識別情報を第３記憶部８３に記憶させる。記憶制御部９４は、設定部９８によって第２モードに設定された場合に、ユーザーによって第１記憶部８１に記憶される１又は複数のジョブ履歴情報を削除するための操作が行われると、その１又は複数のジョブ履歴情報を削除する。また、記憶制御部９４は、そのジョブ履歴情報を削除すると、ジョブ履歴情報を削除するための操作を行ったユーザーを特定可能にするために、ログイン処理に利用されたユーザー識別情報を第３記憶部８３に記憶する。
【００４７】
次に、ジョブを受け付けた場合の複合機１の動作について説明する。図４は、ジョブを受け付けた場合の複合機１の動作について説明するためのフローチャートである。
【００４８】
ステップＳＴ１において、制御部９０（ジョブ受付部９１）は、ジョブを受け付ける。
【００４９】
ステップＳＴ２において、制御部９０は、ステップＳＴ１にて受け付けられたジョブがデータ送信を行うものであるか否かを判断する。すなわち、制御部９０は、ジョブがファクシミリ送信又はメール送信を行うものであるか否かを判断する。データ送信を行わない場合（Ｎｏ）には、制御部９０は、処理をステップＳＴ３に進ませる。データ送信を行う場合（Ｙｅｓ）には、制御部９０は、処理をステップＳＴ５に進ませる。
【００５０】
ステップＳＴ３において、ジョブ実行部１３０は、ステップＳＴ１にて受け付けられたジョブを実行する。一例として、ジョブ実行部１３０は、コピー等を行う。
【００５１】
ステップＳＴ４において、制御部９０（第１時間判定部９３）は、ステップＳＴ３のジョブの実行が、時間帯設定部９２によって設定された時間帯（所定の時間帯）において開始されたか否かを判定する。所定の時間帯においてジョブが開始されている場合（Ｙｅｓ）には、制御部９０は、処理をステップＳＴ７に進ませる。所定の時間帯においてジョブが開始されていない場合（Ｎｏ）には、制御部９０は、処理をステップＳＴ９に進ませる。
【００５２】
ステップＳＴ２にて「Ｙｅｓ」と判断された場合、ステップＳＴ５において、制御部９０（送信先判定部９６）は、所定の送信先にデータを送信するのか否かを判定する。すなわち、送信先判定部９６は、第２記憶部８２に記憶されるリスト情報の中に、入力部７４によって入力された送信先に一致する送信先が有るか否かを判定する。所定の送信先にデータを送信しない場合（Ｎｏ）には、制御部９０は、処理をステップＳＴ６に進ませる。所定の送信先にデータを送信する場合（Ｙｅｓ）には、制御部９０は、処理をステップＳＴ８に進ませる。
【００５３】
ステップＳＴ６において、送信部１００は、指定された送信先にデータを送信する。
【００５４】
ステップＳＴ４にて「Ｙｅｓ」と判定された場合、及びステップＳＴ６の後、ステップＳＴ７において、制御部９０（記憶制御部９４）は、ジョブ履歴情報を生成して、生成したジョブ履歴情報を第１記憶部８１に記憶させる。
【００５５】
ステップＳＴ５にて「Ｙｅｓ」と判断された場合、ステップＳＴ８において、送信部１００は、指定された送信先にデータを送信する。
【００５６】
ステップＳＴ４にて「Ｎｏ」と判定された場合、及びステップＳＴ８の後、ステップＳＴ９において、制御部９０（記憶制御部９４）は、ジョブ履歴情報を生成しないため、ジョブ履歴情報を第１記憶部８１に記憶させない。
【００５７】
ステップＳＴ７及びステップＳＴ９の後、制御部９０は、処理を終了させる。
【００５８】
以上説明したように、本実施形態の複合機１によれば、以下の効果が奏される。
すなわち、本実施形態の複合機１は、ジョブ実行部１３０によってジョブが実行された場合に、時間帯設定部９２によって設定された時間帯（所定の時間帯）においてそのジョブが開始されたか否かを第１時間判定部９３によって判定する。さらに、複合機１は、第１時間判定部９３によって所定の時間帯においてジョブが開始されたと判定された場合に、記憶制御部９４によってジョブ履歴情報を生成して第１記憶部８１に記憶させる。
これにより、複合機１は、仮に情報を漏洩させる不正行為があった場合には、ジョブ履歴情報に基づいて不正行為を追跡させることができる。また、複合機１は、ジョブの開始時刻が所定の時間内の時刻の場合には、ジョブ履歴情報を第１記憶部８１に記憶させるので、不正行為を抑止することができる。
【００５９】
また、複合機１は、ジョブ受付部９１によってデータを送信するジョブが受け付けられた場合に、第２記憶部８２に記憶されるリスト情報の中に、入力部７４によって入力された送信先と一致する送信先が有るか否かを送信先判定部９６によって判定する。この場合、複合機１は、送信先判定部９６によって入力部７４により入力された送信先に一致するリスト情報の送信先がないと判定された場合に、送信部１００によってデータが送信されると、データの送信に関するジョブ履歴情報を記憶制御部９４によって第１記憶部８１に記憶させる。
不正行為が行われる場合、複合機１のリスト情報（アドレス帳）に登録されていない送信先に対してデータ（企業内の情報）が送信されると考えられる。このため、複合機１は、リスト情報に登録されていない送信先にデータを送信する場合に、ジョブ履歴情報を第１記憶部８１に記憶させることにより、不正行為が発生すると、ジョブ履歴情報に基づいて不正行為を追跡させることができる。
【００６０】
また、複合機１は、第２時間判定部９７によって現在時刻が所定の時間帯内の時刻であると判定された場合に、第１記憶部８１に記憶されるジョブ履歴情報を削除できない第１モードになるように設定部９８によって記憶制御部９４を設定する。
不正行為が行われた場合には、第１記憶部８１に記憶されたジョブ履歴情報が削除される可能性が高い。このため、現在時刻が所定の時間帯内の時刻の場合には、複合機１は、ジョブ履歴情報が削除されるのを禁止する。これにより、複合機１は、不正行為を追跡させることが可能になる。
【００６１】
一方、複合機１は、第２時間判定部９７によって現在時刻が所定の時間帯内の時刻ではないと判定された場合に、第１記憶部８１に記憶されるジョブ履歴情報を削除可能な第２モードになるよう設定部９８によって記憶制御部９４を設定する。そして、複合機１は、設定部９８によって第２モードに設定された場合に、第１記憶部８１に記憶されるジョブ履歴情報が削除されると、カードリーダー１２０によって入力されたユーザー識別情報を記憶制御部９４によって第３記憶部８３に記憶させる。
不正行為は、企業の勤務時間外に行われると考えられる。このため、所定の時間帯外（企業の勤務時間内）では、不正行為によってジョブ履歴情報が削除される可能性が低い。このため、複合機１は、現在時刻が所定の時間帯外の時刻の場合には、ジョブ履歴情報を削除することを可能にする。しかしながら、現在時刻が所定の時間帯外の時刻の場合でも、不正行為が行われる可能性が僅かにあることから、ジョブ履歴情報が削除されると、そのジョブ履歴情報を削除したユーザーを特定するために、複合機１は、ユーザー識別情報を第３記憶部８３に記憶させる。よって、複合機１は、ユーザー識別情報に基づいて、不正行為を追跡させることができる。
【００６２】
なお、本発明は、上述した実施形態に限定されることはなく、種々の形態で実施することができる。
本実施形態の複合機１は、カラー複合機であるが、この形態に限定されることはなく、モノクロ複合機であってもよい。
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態の複合機１は、用紙Ｔの片面を印刷する構成であるが、これに限定されることはなく、用紙の両面を印刷する構成であってもよい。
【００６３】
また、本発明の画像形成装置は、上述した複合機１に限定されることはない。すなわち、本発明の画像形成装置は、コピー機であってもよく、ファクシミリやプリンターであってもよい。
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。
【符号の説明】
【００６４】
１…複合機（画像形成装置）、７４…入力部、８１…第１記憶部、８２…第２記憶部、８３…第３記憶部、８４…第４記憶部、９１…ジョブ受付部、９２…時間帯設定部、９３…第１時間判定部、９４…記憶制御部、９５…データ受付部、９６…送信先判定部、９７…第２時間判定部、９８…設定部、９９…ログイン処理部、１００…送信部、１１０…計時部、１２０…カードリーダー（識別情報入力部）、１３０…ジョブ実行部
【図１】
0005752075.tif 000002
【図２】
0005752075.tif 000003
【図３】
0005752075.tif 000004
【図４】
0005752075.tif 000005